(57)【要約】      （修正有）【課題】小型電動グラインディングカッターによる作業中に発生する粉塵の拡散を、効果的に防止できる吸塵装置を提供する。【解決手段】小型電動カッター１に付属する既存の鉄製カバー３に、取り外しが簡単で柔軟な接続布テープで、プラスチック製の透明カバー４を取り付けて、吸塵口５と併用、又は、接続布テープにて繋げ、４００ミリ長で１００ミリ径の吸塵ホース６に繋ぐ。更に吸塵ホース６の底部を、５０ミリ程度の一定幅で吸塵口５から、集塵口７に至る少し手前、粉塵の合流する接続部までを切って開放１０し、吸塵ホースと接続布テープで繋がれた集塵口の後ろ端を、集塵器からの集塵ホースに接続して、更に厚めの布地をその吸塵ホースの上面、左右面をそっくり覆うように糊又はボンド又は接続布テープ等で貼り付ける。尚且つ、吸塵口や吸塵ホースの取り残した粉塵等をカバーするのを吸塵布カバー袋を配して構成する。【選択図】図１
0003153141.tif 000002
【実用新案登録請求の範囲】
【請求項１】
現場や工場内で小型電動グラインダーカッター（以下小型電動カッターと呼称する）で、タイル、コンクリート、ブロック、外装ボードの切断及びそれらの加工製品の他、あらゆる製品をダイヤモンドカッター回転刃、其の他等で切断する時、自動的に出る粉塵や切粉や埃のほとんどを、外に洩らす事なく集塵機に繋がる集塵ホースへ送り出し、また作業者の目や口や鼻に更に周辺にも粉塵が飛散するのを防ぐことを目的として、小型電動カッターに付属する既存の鉄製カバーに、取り外しが簡単で柔軟な接続布テープで、プラスチック製の透明カバーを取り付けて、吸塵口と併用、又は、接続布テープにて繋げ、４００ミリ長で１００ミリ径の、鉄やステンレスやプラスチックを形状記憶主筋とした螺旋のゴム又はプラスチックで構成されるダクト様吸塵ホース、又は、形状記憶主筋を必要としないダクト様螺旋吸塵ホースと繋げ、更に吸塵ホースの底部を、５０ミリ程度の一定幅で吸塵口から、集塵口に至る少し手前、粉塵の合流する接続部までを切って開放し、吸塵ホースと接続布テープで繋がれた集塵口の後ろ端を、集塵器からの集塵ホースに接続して、更に厚めの布地をその吸塵ホースの上面、左右面をそっくり覆うように糊又はボンド又は接続布テープ等で貼り付け、尚且つ、余分に流して吸塵口や吸塵ホースの取り残した粉塵等をカバーするのを吸塵布カバー袋と言い、尚且つ更に、切断しながら同時に切り終わった溝を這うようにして後方に送り出される粉塵、切粉、埃も、布地の余っている部分を、地面に接触、接地又、台上で隙間なく置きながら切断する事で、布地の吸着、摩擦、遮蔽によって、溝から勢いを失い、袋の外へ飛び散ろうとする粉塵、切粉、埃の洩れを残らず吸塵布カバー袋が防ぎ、そのまま吸塵ホースの底が開放された部分を経由して、集塵口そして集塵ホースから集塵器に滞りなく送り込まれる二重方式の吸塵装置。
【考案の詳細な説明】
【技術分野】
【０００１】建築道具、吸塵装置、タイル工具、電動グラインダーカッターの補助工具、集塵機器、建築工具、左官工具、土木道具、ブロック工具、板金工具、機械工具等。
【背景技術】
【０００２】粉塵や埃は本人のみならず、周辺の人々にとっても公害であり、近年は都市部においては是正されることが緊急の課題である。【０００３】小型電動グラインダーカッター（以下小型電動カッターとする）で、タイルや石やブロックやコンクリート等の湿式の材料を切断する時、また、鉄やアルミ等を切断する時も、必ず粉塵や鉄粉や埃等が発生している。【０００４】小型電動カッターでの使用は、小回りが良いことにその必要性や機動性があり、埃を処理するためだけの大袈裟な装備は不都合である、とされている。【０００５】定尺物を決まった位置、場所で切断する物では、粉塵や埃の防御は年々進歩しているのにも拘わらず、小型電動カッターの機動性を考えれば、そのような決まった位置や場所で切断加工がいつも行われる訳ではない。【０００６】切断後の溝の底を低く這うように伝わってくる粉塵や埃の吸収が、いままでの吸塵装置では解決できていない最難問であった。【０００７】従来、直接的に作業者の顔に粉塵や埃がぶつかってくるのを防ぐ作用をする金属製のカバーがあった。
【考案の開示】
【考案が解決しようとする課題】
【０００８】あらゆる物の切断加工に必ず伴う、粉塵や埃等を９９％周囲に撒き散らすことなく集塵機に吸収させる。【０００９】機動性という性質上、何も装備させないのが最もベストなことではあるが、だからといって粉塵や埃を撒き散らして良いものではない、できるだけ最軽量、そして、邪魔にならない使い易さを残しつつ粉塵や埃に対処する。【００１０】歪んだ曲線や、円や楕円などの加工をする時は、普通に小型電動カッターとして使用しなければならない。【００１１】小型電動カッターは、またの名をハンドカッターとも言われ、多く定尺で、同じ位置で物を切断したりするものではなく、その場その場の弾力性で使用する頻度の高いものであるから、どんな場面であっても粉塵や埃の拡散を阻止できなければ意味がない。【００１２】切断切り口からの粉塵や埃だけではなく、切断した後からの溝の底を這うような粉塵、埃に対しての対処に、各メーカーが頭を痛めているのですが、柔軟性ある素材で対処するしかない、という結論に達した。【００１３】直接的に粉塵や埃が当たる金属製カバーでは、実際的には幅も狭いしなかなかカバーしきれるものではない。
【課題を解決するための手段】
【００１４】粉塵や埃の飛散には二種類あって、切断で直接後方へ押しやられるものと、切り口の細い溝を経由して後方へ飛散していくものがある。吸塵ホースと吸塵カバー袋の二重の吸塵装置によって、大半の粉塵、埃等を吸収する。これはまだ世の中に発見されていない構造のものである。【００１５】本考案品は、鉄やステンレスを構造主筋に据え、ゴム製や布製、プラスチック製を使用して軽くなるように構成すれば使い難くなることはなく、困難な加工でも十分にこなすことができる。【００１６】取り付け、取り外しはワンタッチが絶対条件であり、本考案品が小型電動カッター本来の作業性を著しく阻害してはならない。【００１７】切り口の溝に沿って低い位置で流れてくる粉塵や埃に対しては、そのドリル回転の勢いそのままに流されてくる風量の勢いが減少する位置まで吸塵袋を広げなければならない。【００１８】切断ラインを見ながら切断するために、顔の視線をそのカバーからやや移動させて見なければならず、そのために現在の金属製カバーの幅では全く役に立たず、粉塵や埃を避けるためには、透明カバーで吸塵口を幅広に延長させる事が必要であることが分かった。
【考案の効果】
【００１９】今までの小型電動カッターでのタイル等の切断時は、多く粉塵や埃まみれで撒き散らし作業していた例が多く、それを除去するには、集塵機ホースを別に持って切り口に当てがってもらう相手が必要になる。又、一人で集塵ホースと小型電動カッターを片方ずつ持って作業するには危険であるし、きれいな切断ができない。それが本考案品では一人でも、小型電動カッターを両手でしっかりと握って安全で安定した切断が可能となり、粉塵や埃も二重構造故にほとんど広がることがない。【００２０】小型電動カッターは主に切断するためのガイドがなく、対象物に描かれたラインを見るには粉塵や埃から保護する金属製カバーから視線をズラして見るよりない、そのために顔面に受ける粉塵や埃を顔に浴びて真っ白になってしまい、更には目を細くして切断行為をしなければならない、しかし、透明の吸塵口を延長することにより、目を完全に見開いて切断できるようになる。
【考案を実施するための最良の形態】
【００２１】小型電動カッターに付属する、粉塵や埃が直接に顔に降り注ぐのを防ぐための本体の金属製カバー（図１）の３に、ビス穴を設けて接続布テープをビスで取り付け、同じく（図１）の透明カバー４と吸塵口５と吸塵ホース６と吸塵布カバー袋（図３）の５と、粉塵の合流する接続部の集塵口（図１）の７の一体化されたものでも、軽さ故に、ワンタッチで取り付け、取り外しができるようにした吸塵装置。【００２２】透明のプラスチック製で粉塵の飛散を抑えつつ、カットラインが識別できる様に既存の金属カバーの半円に沿って、美しいラインで形成された透明カバー（図１）の４を先端に設けた吸塵装置。【００２３】切断時に於いて、直接的に粉塵や切粉や埃等を間近に吸塵するものとして、ゴム、又はプラスチック等で、透明カバーからの連続して造作加工された円形の吸塵口（図１）の５を設け、又は、接続布テープ等で繋げ、上下左右への運動柔軟性も付加させて、次の吸塵ホース（図１）の６に接続布テープ等で繋げる吸塵装置。【００２４】（図１）の５吸塵口と接続布テープで繋がっている吸塵ホース内の底を５０ミリ幅で均一にカットすることで、途中から撒き散らされる粉塵、切粉、埃等を吸収しやすくし、そのまま最後尾のプラスチック製の粉塵の合流する接続部の集塵口へ接続布テープで取り付けて、粉塵等を集塵ホースに送り出す、吸塵装置。【００２５】吸塵装置全体が、切断時に無駄にフラフラと動かなくする必要性から、本体汎用の小型電動カッター胴体部と吸塵ホースの中央部を接続布テープで結ぶ。
【図面の簡単な説明】
【００２６】
【図１】小型電動グラインダーカッターと本考案品の基本の骨組みである透明カバー、吸塵口、吸塵ホース、集塵口の作業時に於ける取り付けた状態の側面の展開図
【図２】本考案品の基本の骨組みを構成したものと、本体小型電動グラインダーカッターとの上からの展開図
【図３】本体小型電動カッターと、本考案品の２重吸塵による基本の吸塵装置の骨組みに吸塵布カバーで覆った側面図と、それぞれの接続透視図
【図４】同、本体小型電動クラインダーカッターと、本考案品を布で覆った上面からの展開図
【符号の説明】
【００２７】［図１］
１、汎用既存の小型電動カッター。
２、同じく汎用小型電動カッターに付属の回転刃。
３、同じく汎用小型電動カッターに付属の金属カバー。
４、本考案品の金属カバーに取り付けられる透明カバー。
５、本考案品で、透明カバーから連なっている一体化された、又は、接続された吸塵口で、形状記憶の構造主筋とゴム様蛇腹で、又は単にゴムやプラスチック製の構造筋の入らない蛇腹製作されたダクト様素材の先端を構成し、底部を一部開放する。
６、吸塵口から連続する底部の開放された本考案品の、ダクト様蛇腹の吸塵ホース。
７、吸塵ホースを流入してくる粉塵、切粉、埃等が集められる本考案品の一部を構成する集塵口。
８、汎用既存の集塵器付属の集塵ホース。
９、作業時の小型電動カッターの位置角度調整と、吸塵装置の形状維持のゴムサポート部材。
１０、吸塵口５、から、集塵口７、前までの主に吸塵ホースの底を５０ミリ幅でカットした部分。
［図２］
１、汎用既存の小型電動カッター。
２、同じく汎用小型電動カッターに付属の回転刃。
３、同じく汎用小型電動カッターに付属の金属カバー。
４、本考案品の透明カバー
５、本考案品の吸塵口
６、本考案品の吸塵ホース
７、本考案品の集塵口。
８、本考案品の位置角度調整と形状維持のゴムサポート製吊り下げ部材。
９、集塵ホース。
［図３］
１、汎用既存の小型電動カッター。
２、同じく汎用小型電動カッターに付属の回転刃。
３、同じく汎用小型電動カッターに付属の金属カバー。
４、本考案品の透明カバー
５、本考案品の吸塵ホースの上面と左右面を覆う布生地の吸塵カバー袋。
６、本考案品の吸塵カバー袋の５０ミリ幅にカットした開口部分。
７、本考案品の吊り下げゴムサポート。
８、集塵ホース。
［図４］
１、汎用既存の小型電動カッター。
２、同じく汎用小型電動カッターに付属の回転刃。
３、同じく汎用小型電動カッターに付属の金属カバー。
４、本考案品の透明カバー。
５、本考案品の吸塵カバー袋。
６、本考案品の吊り下げゴムサポート。
【図１】
0003153141.tif 000003
【図２】
0003153141.tif 000004
【図３】
0003153141.tif 000005
【図４】
0003153141.tif 000006